(57)【要約】  超解像媒体（１）は、映像または音声等のコンテンツが記録された情報信号領域（１１）と、再生を行うための設定値を調整するための再生設定値調整情報が記録されたテストリード領域（１２）とが設けられている。情報信号領域（１１）に形成された第１プリピット列の最短マーク長は、再生装置が有する光学系解像限界の長さよりも短い。テストリード領域（１２）に記録され、設定値の調整を行う第２プリピット列におけるマーク長の種類は、第１プリピット列におけるマーク長の種類の一部または全部と同じである。また、第２プリピット列は、再生装置が有する光学系解像限界の長さよりも短いマーク長のプリピットを含む。さらに、第１および第２プリピット列におけるマーク長は、３種類以上である。これにより、超解像媒体（１）では、媒体ごとに最適な再生を行うことができる。
2009008434.tif 000002
【特許請求の範囲】
【請求項１】
凹および凸の少なくとも一方からなるプリピットにより情報が記録され、光情報記録媒体再生装置によって、当該プリピットに光が照射されることにより上記情報が再生されるものである光情報記録媒体であって、
コンテンツが記録された情報信号領域と、
上記光情報記録媒体再生装置が上記再生を行うための設定値を調整するための再生設定値調整情報が記録されたテストリード領域と、が設けられており、
上記情報信号領域に形成された複数のプリピットからなる第１プリピット列の最短マーク長は、上記光情報記録媒体再生装置が有する光学系解像限界の長さよりも短く、
上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、
上記第２プリピット列は、上記光情報記録媒体再生装置が有する光学系解像限界の長さよりも短いマーク長のプリピットを含み、
上記第１および第２プリピット列におけるマーク長が３種類以上であることを特徴とする光情報記録媒体。
【請求項２】
上記テストリード領域のトラッキングエラー信号の振幅が、上記情報信号領域のトラッキングエラー信号の振幅より大きいことを特徴とする請求項１に記載の光情報記録媒体。
【請求項３】
上記光情報記録媒体再生装置の再生レーザ光の波長λと、当該光情報記録媒体再生装置の対物レンズの開口数ＮＡと、上記情報信号領域のトラックピッチＴＰｉと、上記テストリード領域のトラックピッチＴＰｔとが、
ＴＰｉ＜ＴＰｔ≦λ／ＮＡ
の関係を満たすことを特徴とする請求項１または２に記載の光情報記録媒体。
【請求項４】
上記第２プリピット列において、全てのプリピットに対する、上記最短マーク長のプリピットの存在確率が、
上記第１プリピット列において、全てのプリピットに対する、上記最短マーク長のプリピットの存在確率より低いことを特徴とする請求項１〜３のいずれか１項に記載の光情報記録媒体。
【請求項５】
上記第２プリピット列において、全てのプリピットに対する、最長マーク長のプリピットの存在確率が、
上記第１プリピット列において、全てのプリピットに対する、上記最長マーク長のプリピットの存在確率より高いことを特徴とする請求項１〜４のいずれか１項に記載の光情報記録媒体。
【請求項６】
上記第１プリピット列のプリピットの深さＤｉと、上記第２プリピット列のプリピットの深さＤｔとが、
Ｄｉ／２≦Ｄｔ＜Ｄｉ
の関係を満たすことを特徴とする請求項１〜５のいずれか１項に記載の光情報記録媒体。
【請求項７】
上記テストリード領域のトラックピッチＴＰｔと、上記第１プリピット列のプリピットにおけるピットの幅Ｗｉと、上記第２プリピット列のプリピットにおけるピットの幅Ｗｔとが、
Ｗｉ＜Ｗｔ≦ＴＰｔ／２
の関係を満たすことを特徴とする請求項１〜６のいずれか１項に記載の光情報記録媒体。
【請求項８】
凹および凸の少なくとも一方からなるプリピットにより情報が記録され、光情報記録媒体再生装置によって、当該プリピットに光が照射されることにより上記情報が再生されるものであり、コンテンツが記録された情報信号領域と、上記光情報記録媒体再生装置が上記再生を行うための設定値を調整するための再生設定値調整情報が記録されたテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上である光情報記録媒体、
を再生することが可能な光情報記録媒体再生装置であって、
上記光情報記録媒体の所望位置に記録された情報を再生する再生手段と、
上記再生手段が上記光情報記録媒体のテストリード領域のプリピットを読み取った再生信号に基づいて、上記設定値の最適値を求め、当該設定値の最適値を基に、上記再生手段を制御する制御手段とを備えることを特徴とする光情報記録媒体再生装置。
【請求項９】
凹および凸の少なくとも一方からなるプリピットにより情報が記録され、光情報記録媒体再生装置によって、当該プリピットに光が照射されることにより上記情報が再生されるものであり、コンテンツが記録された情報信号領域と、上記光情報記録媒体再生装置が上記再生を行うための設定値を調整するための再生設定値調整情報が記録されたテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上である光情報記録媒体、
を再生することが可能な光情報記録媒体再生装置の制御方法であって、
上記光情報記録媒体の所望位置に記録された情報を再生する再生ステップと、
上記再生ステップにて上記光情報記録媒体のテストリード領域のプリピットを読み取った再生信号に基づいて、上記設定値の最適値を求め、当該設定値の最適値を基に、上記再生ステップによる上記再生を制御する制御ステップとを含むことを特徴とする光情報記録媒体再生装置の制御方法。
【請求項１０】
凹および凸の少なくとも一方からなるプリピットにより情報が記録され、光情報記録媒体再生装置によって、当該プリピットに光が照射されることにより上記情報が再生されるものである光情報記録媒体であって、コンテンツが記録された情報信号領域と、上記光情報記録媒体再生装置が上記再生を行うための設定値を調整するための再生設定値調整情報が記録されたテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上である光情報記録媒体を再生することが可能なものであり、
上記光情報記録媒体の所望位置に記録された情報を再生する再生手段と、上記再生手段が上記光情報記録媒体のテストリード領域のプリピットを読み取った再生信号に基づいて、上記設定値の最適値を求め、当該設定値の最適値を基に、上記再生手段を制御する制御手段とを備える光情報記録媒体再生装置を再生させるための制御プログラムであって、
コンピュータを上記制御手段として機能させるための光情報記録媒体再生装置制御プログラム。
【請求項１１】
凹および凸の少なくとも一方からなるプリピットにより情報が記録され、光情報記録媒体再生装置によって、当該プリピットに光が照射されることにより上記情報が再生されるものである光情報記録媒体であって、コンテンツが記録された情報信号領域と、上記光情報記録媒体再生装置が上記再生を行うための設定値を調整するための再生設定値調整情報が記録されたテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上である光情報記録媒体を再生することが可能なものであり、上記光情報記録媒体の所望位置に記録された情報を再生する再生手段と、上記再生手段が上記光情報記録媒体のテストリード領域のプリピットを読み取った再生信号に基づいて、上記設定値の最適値を求め、当該設定値の最適値を基に、上記再生手段を制御する制御手段とを備える光情報記録媒体再生装置を再生させるための制御プログラムであって、コンピュータを上記制御手段として機能させるための光情報記録媒体再生装置制御プログラム、
が記録されたコンピュータ読取り可能な記録媒体。
【発明の詳細な説明】
【技術分野】
【０００１】
本発明は、情報が記録された光情報記録媒体、光情報記録媒体再生装置、光情報記録媒体再生装置の制御方法、光情報記録媒体再生装置制御プログラム、および当該プログラムを記録した記録媒体に関するものである。
【背景技術】
【０００２】
近年、映像等の膨大な情報を高速で処理するために、光情報記録媒体の記録時および再生時における情報密度を高めることが求められている。そこで、再生装置が有する光学系解像限界（以下、単に「解像限界」と称す）よりも短い最短マーク長を有する記録マークの列またはプリピットの列によって情報を記録し、当該記録した情報を再生する超解像技術が提案されている。【０００３】
なお、本願では、プリピットは、凹および／または凸からなるものとする。また、上記超解像技術により再生することができる光情報記録媒体を「超解像媒体」または「超解像光情報記録媒体」と呼び、上記超解像技術を使用することなく再生可能な光情報記録媒体、即ち、再生装置が有する解像限界より長い最短マーク長を有する記録マークの列またはプリピットの列で情報が記録される光情報記録媒体を「通常媒体」または「通常光情報記録媒体」と呼ぶ。なお、上記解像限界は、再生装置の再生レーザ光の波長λと再生装置の対物レンズの開口数ＮＡとによって決まり、理論的にはλ／４ＮＡで表される。【０００４】
特に、主に再生専用光情報記録媒体に応用され、再生装置が有する解像限界より短い最短マーク長を有するプリピットの列によって情報を記録し、当該記録した情報を再生する超解像技術の開発が望まれている。【０００５】
なお、本願では、マーク長とは、トラック方向のプリピットの長さ、および／またはトラック方向に隣り合うプリピット間の長さのことを意味する。また、マーク長は、チャンネルビット長のほぼ整数倍となっており、例えば、再生専用型ＤＶＤ（Digital Versatile Disc）では、最短マーク長は０．４μｍでチャンネルビット長のほぼ３倍の長さでありマーク長の種類数は９種類である。また、再生専用型ＣＤ（Compact Disc）では、最短マーク長は０．８３μｍでチャンネルビット長のほぼ３倍の長さでありマーク長の種類数は９種類である。なお、上記超解像技術は、記録型光情報記録媒体においても、一部アドレスピットとして凹および／または凸からなるプリピットの列が存在するため応用できる。【０００６】
現在では、サーモクロミック膜を用いた超解像技術、および、フォトクロミック膜を用いた超解像技術など、上記プリピットの列を再生する種々の超解像技術が提案されている。【０００７】
例えば、特許文献１に示される超解像媒体では、温度によって透過率等の光学特性が変化するサーモクロミック色素層が、マスク層として、反射層の再生光入射面上に設けられている。なお、上記マスク層とは、上記レーザスポットを擬似的に限縮するなどの超解像現象を引き起こす層のことである。【０００８】
特許文献１に示される超解像媒体では、上記再生光入射面に近い再生層上の上記レーザスポット内に生じる、光強度分布による温度分布によって、透過率の分布が生じる。例えば、温度が高くなると透過率が高くなる材料を上記再生層に用いる場合、温度が高い部分の透過率のみが高くなり、上記反射層面上に生じる上記レーザスポットが擬似的に縮小されるので、再生装置が有する解像限界より短い最短マーク長を有するプリピットの列の信号を再生することができる。【０００９】
ところで、通常、超解像媒体では、通常媒体より高いパワーの再生光が必要となる。これは、高いパワーの再生光によって薄膜に発生する熱および／または高いパワーの再生光の光量を利用して、レーザスポットを擬似的に縮小する等の理由からである。また、通常、超解像媒体では、通常媒体よりも、再生パワー値・サーボオフセット値・球面収差補正値・チルトといった再生設定値（記録された情報を再生するために必要な設定値）が変化することによる超解像媒体の特性の変化、例えばエラーレート（誤差発生率）の変化が大きい。これは、再生光によって薄膜に発生する熱および／または再生光の光量が変化することにより、擬似的に縮小されるレーザスポットの光強度分布が変化する等の理由からである。【００１０】
そのため、超解像媒体では、あらかじめ媒体中に最適な再生設定値が記録されていることが望ましい。【００１１】
例えば、特許文献２に示される超解像媒体では、あらかじめ最適な再生パワーの情報を含んでいるため、フォーカスサーボだけで実効スポット径を常に一定に保つことができる。
【特許文献１】日本国公開特許公報「特開平６−１６２５６４号公報（公開日：１９９４年６月１０日）」」
【特許文献２】日本国公開特許公報「特開平７−７３５０６号公報（公開日：１９９５年３月１７日）」
【発明の開示】
【００１２】
しかしながら、上記超解像媒体中にあらかじめ記録されている最適な再生設定値は、超解像媒体の製造時に、超解像媒体の特性が最適となる値、例えば、再生装置が有する解像限界の長さより短い最短マーク長を有するプリピットの列のエラーレートが最良となる値にすぎない。
【００１３】
このため、超解像媒体を再生装置に設置するときのずれ、および／または、実際の可動によるずれ（温度、湿度、振動、衝撃、等による機械的ずれ）が生じた場合の再生設定値の最適値は、上記超解像媒体中にあらかじめ記録されている最適な再生設定値とは異なってしまう。また、実際に再生する再生装置の特性のばらつきによっても、再生設定値の最適値は、上記超解像媒体中にあらかじめ記録されている最適な再生設定値とは異なってしまう。これにより、最良エラーレートが悪化してしまう、デフォーカスマージン等のマージンが狭くなってしまう、等の問題が生じる。
【００１４】
上記の問題が発生する理由を説明する。
【００１５】
超解像媒体では、通常媒体のレーザ光パワーより高いレーザ光パワーで再生することによって、レーザスポット内の再生光の、光量分布および温度分布を利用してレーザスポットを擬似的に縮小することで、再生装置が有する解像限界の長さより短い最短マーク長を有するプリピットの列の再生を可能にしている。このとき、再生設定値の最適値がずれると、レーザスポット内の再生光の、光量分布および温度分布は、それぞれの最適値の状態からずれる。これにより、レーザスポットの擬似的な縮小状態が、それぞれの最適値の状態から変化することが、上記の問題が発生する理由である。以下では、再生に必要なレーザ光パワーを「再生パワー」と称する。
【００１６】
また、上記超解像媒体中にあらかじめ記録されている最適な再生設定値は、複数の超解像媒体におけるそれぞれの最適値ではなく、例えば、製造ロット毎、あるいは超解像媒体の製造会社毎に同一の超解像媒体の最適値が、あらかじめ超解像媒体中に記録される。即ち、超解像媒体の製造ばらつきに対応した１枚毎の再生設定値の最適値は、上記の超解像媒体には記録されていない。これは、超解像媒体１枚毎に、再生設定値の最適値を測定し、その最適値をプリピットの列により記録することは、莫大なコストと手間がかかってしまうためである。
【００１７】
このため、超解像媒体中にあらかじめ記録されている最適な再生設定値を用いて当該超解像媒体を再生しても、当該超解像媒体の製造時に発生するばらつきに起因して、再生設定値は、最適値が異なってしまう。そして、最良エラーレートが悪化してしまう、デフォーカスマージン等のマージンが狭くなってしまう、等の問題が生じる。
【００１８】
また、コンテンツの記録された情報信号領域において、上記の手法で再生パワーの最適値を求めるとする。
【００１９】
このとき、上述したとおり、超解像媒体の再生には通常媒体より高い再生パワーが必要となるため、高い再生パワーで当該再生パワーの調整を行うこととなる。この調整中において、最適な再生パワーより高い再生パワーを印加したときに、薄膜の酸化、および／または、基板の溶解等に起因する超解像媒体の破壊が起こり、情報信号領域のコンテンツを二度と再生することが出来なくなる虞がある、という問題が生じる。
【００２０】
本発明は、上記の問題点に鑑みてなされたものであり、その目的は、媒体ごとに最適な再生を行うことができる超解像光情報記録媒体である光情報記録媒体などを提供することにある。
【００２１】
本発明に係る光情報記録媒体は、上記課題を解決するために、凹および凸の少なくとも一方からなるプリピットにより情報が記録され、光情報記録媒体再生装置によって、当該プリピットに光が照射されることにより上記情報が再生されるものである光情報記録媒体であって、コンテンツが記録された情報信号領域と、上記光情報記録媒体再生装置が上記再生を行うための設定値を調整するための再生設定値調整情報が記録されたテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上であることを特徴としている。
【００２２】
上記の構成によれば、本発明に係る光情報記録媒体は、情報信号領域とテストリード領域とを備える。情報信号領域には、凹および凸の少なくとも一方からなるプリピットによりコンテンツが記録される。また、情報信号領域に形成された複数のプリピットからなる第１プリピット列の最短マーク長は、再生装置が有する光学系解像限界の長さよりも短い。なお、本願では、「再生装置が有する光学系解像限界」、即ち、「解像限界」とは、光情報記録媒体を再生する光情報記録媒体再生装置において、再生装置の再生レーザ光の波長λと再生装置の対物レンズの開口数ＮＡとによって決まり、理論的にはλ／４ＮＡで表される。一方、テストリード領域は、再生装置が再生を行うための設定値を調整する領域として設けられる。そして、テストリード領域に記録された複数のプリピットであって、上記調整を行うための複数のプリピットからなる第２プリピット列におけるマーク長の種類は、第１プリピット列におけるマーク長の種類の一部または全部と同じとしている。
【００２３】
これにより、情報信号領域における最適な設定値は、テストリード領域における最適な設定値と同様になる。そして、光情報記録媒体再生装置が、テストリード領域のプリピットを読み取ることにより、設定値の最適値を求め、求めた最適値に基づいて情報信号領域のプリピットを読み取ることにより、情報信号領域におけるコンテンツの再生を、媒体ごとに最適に行うことができる。
【００２４】
なお、本願では、マーク長とは、トラック方向の当該プリピットの長さ、および当該プリピットと当該プリピットとトラック方向に隣り合うプリピットとの間隔の、少なくとも一方を意味する。
【００２５】
また、上記の構成によれば、第２プリピット列は、再生装置が有する光学系解像限界の長さよりも短いマーク長のプリピットを含む。これは、第２プリピット列のうち再生設定値（特に、再生パワー値）の決定に対して最も影響を及ぼすプリピットは、再生装置が有する光学系解像限界の長さよりも短いマーク長を有するプリピットとなるからである。第２プリピット列のマーク長として、再生装置が有する光学系解像限界の長さよりも短いマーク長のプリピットを含むことにより、テストリード領域のプリピットを読み取ることにより求められた設定値の最適値を、情報信号領域により良好に適合させることができる。
【００２６】
ところで、情報信号領域のマーク長の種類数が２種類以下である場合、符号化効率が悪化するため、実質的な情報密度が低下する。また、例えばＣＤおよびＤＶＤは一般的に、マーク長の種類数が９種類となるため、マーク長の種類数を２種類以下とするのは実用的でない。そのため、情報信号領域のマーク長の種類数は、３種類以上であることが好ましい。また、テストリード領域の第２プリピット列は、情報信号領域の第１プリピット列が有する、複数の種類のマーク長を全種類有しているのが好ましい。以上のことから、情報信号領域およびテストリード領域はそれぞれ、マーク長を３種類以上有しているのが好ましい。これによって、より最適な設定値（再生パワー値、フォーカスサーボオフセット値、球面収差補正値、およびチルトの少なくとも１つの値）を、それぞれ１つ求めることができる。ここで、「チルト」とは、上記光情報記録媒体再生装置によって再生されている光情報記録媒体の記録面の法線方向と、当該記録面に照射されている光の進行方向との間の角度（傾き）を意味する。
【００２７】
従って、媒体ごとに最適な再生を行うことができるという効果を奏する。
【００２８】
ところで、テストリード領域では、情報信号領域よりもトラッキングサーボが不安定になることがわかった。これは、テストリード領域では、フォーカスサーボオフセット値等の再生設定値を変化させるため、トラッキング誤差信号が小さくなる虞があるためである。
【００２９】
さらに、超解像媒体では、再生設定値の変化に対して、トラッキングサーボが通常媒体より不安定となることがわかった。
【００３０】
この理由は、下記にあると考えられる。
【００３１】
上述したとおり、超解像媒体では、再生パワー値・サーボオフセット値・球面収差補正値・チルトの変化に伴う、再生光によって薄膜に発生する熱、および／または再生光の光量の変化により、擬似的に縮小されるレーザスポットの強度分布が変化するため、超解像媒体では、再生パワー値等の変化に対するトラッキング誤差信号の変化が、通常媒体より大きいことが理由であると考えられる。
【００３２】
即ち、超解像媒体において、テストリード領域にて、再生装置が有する解像限界の長さより短い最短マーク長を有するプリピットの列を再生しながら、再生設定値を変化させて、例えばエラーレートの値を最良にするように再生設定値の最適値を求めると、トラッキングサーボが不安定となり、最適な再生設定値が求められない虞がある。そして、エラーレートが悪くなる、デフォーカスマージン等のマージンが狭くなる、という問題が生じる虞がある。
【００３３】
また、トラッキングサーボが不安定であることが原因で、情報信号領域のコンテンツを最適値より高い再生パワーで再生することで、超解像媒体を破壊してしまう、という問題が発生する虞もある。
【００３４】
さらに、最悪の場合には、トラッキングサーボが不安定であることが原因で、トラッキングサーボによる制御が不能になった瞬間にフォーカスサーボによる制御も同様に不能になってしまい、再生装置のピックアップと超解像媒体とが接触し、超解像媒体に傷がつき二度と情報が再生出来なくなったり、ピックアップが故障して再生装置が使用不可になってしまったりする、等の問題が生じる虞もある。
【００３５】
そこで、本発明に係る光情報記録媒体は、上記テストリード領域のトラッキングエラー信号の振幅が、上記情報信号領域のトラッキングエラー信号の振幅より大きいことを特徴としている。
【００３６】
上記の構成によれば、本発明に係る光情報記録媒体を再生する光情報記録媒体再生装置のトラッキングエラー検出方式がＤＰＤ方式（Differential Phase Detection：ヘテロダイン方式、或いは位相差方式）であってもプッシュプル方式であっても、トラッキングサーボの安定性に関連するトラッキングエラー信号の振幅が、情報信号領域よりもテストリード領域の方が大きくなることにより、情報信号領域よりもテストリード領域においてトラッキングサーボが安定になり、再生を行うための設定値（再生パワー値、フォーカスサーボオフセット値、球面収差補正値、およびチルトの少なくとも１つの値）の最適値を求めるときにより大きく設定値を変化させることができる。
【００３７】
ここで、情報信号領域のトラッキングエラー信号の振幅は、過度に大きくすることは好ましくない。なぜなら、情報信号領域のトラッキングエラー信号の振幅を大きくすると、トラッキングサーボは安定するが、当該振幅がある一定の値を超えると、情報信号領域の再生信号のエラーレートが悪化してしまうためである。
【００３８】
一方、テストリード領域では、再生設定値の最適値を求めることが目的である。そのため、トラッキングエラー信号の振幅が上記ある一定値を超え再生信号のエラーレートが多少悪化したとしても、トラッキングサーボが安定になることで再生設定値の最適値を好適に求めることができる。
【００３９】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００４０】
また、本発明に係る光情報記録媒体は、上記光情報記録媒体再生装置の再生レーザ光の波長λと、当該光情報記録媒体再生装置の対物レンズの開口数ＮＡと、上記情報信号領域のトラックピッチＴＰｉと、上記テストリード領域のトラックピッチＴＰｔとが、ＴＰｉ＜ＴＰｔ≦λ／ＮＡの関係を満たすことを特徴としている。
【００４１】
上記の構成によれば、本発明に係る光情報記録媒体を再生する光情報記録媒体再生装置のトラッキングエラー検出方式がＤＰＤ方式の場合、およびプッシュプル方式の場合のいずれにおいても、トラッキングサーボの安定性に関連するトラッキングエラー信号の振幅が、情報信号領域よりもテストリード領域の方が大きくなることで、情報信号領域よりもテストリード領域においてトラッキングサーボが安定になるので、再生を行うための設定値（再生パワー値、フォーカスサーボオフセット値、球面収差補正値、およびチルトの少なくとも１つの値）の最適値を求めるときにより大きく設定値を変化させることができる。
【００４２】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００４３】
さらに、上記の構成によれば、テストリード領域のトラックピッチが情報信号領域のトラックピッチより広いため、テストリード領域における再生信号のクロストーク量（隣接トラックから漏洩する信号量）を低減することができる。クロストーク量が大きいと、信号再生時におけるノイズ成分は増大しエラーレートは悪化する。つまり、上記の構成によれば、テストリード領域のトラックピッチと情報信号領域のトラックピッチとが同じである場合に比べて、ノイズ成分を低減することができるため、テストリード領域のエラーレートを良好にし、より信頼性の高い再生設定値の最適値を求めることができる。
【００４４】
また、本発明に係る光情報記録媒体は、上記第２プリピット列において、全てのプリピットに対する、上記最短マーク長のプリピットの存在確率が、上記第１プリピット列において、全てのプリピットに対する、上記最短マーク長のプリピットの存在確率より低いことを特徴としている。
【００４５】
上記の構成によれば、第２プリピット列において、全てのプリピットに対する、最短マーク長のプリピットの存在確率が、第１プリピット列において、全てのプリピットに対する、最短マーク長のプリピットの存在確率より低い。なお本願では、マーク長の存在確率とは、トラック１周分のプリピット列における特定のマーク長の出現回数を、上記トラック１周分のプリピット列における全種類のマーク長の出現回数で割ったもの、即ち、上記トラック１周分のプリピット列における特定のマーク長を有するプリピットの個数を、上記トラック１周分のプリピット列における全てのプリピットの個数で割ったものである。
【００４６】
本発明に係る光情報記録媒体を再生する光情報記録媒体再生装置のトラッキングエラー検出方式がＤＰＤ方式の場合、トラッキングサーボの安定性に関連するトラッキングエラー信号の振幅を小さくする（トラッキングサーボを不安定にする）要因となる最短マーク長の存在確率が、情報信号領域よりもテストリード領域の方が低くなることで、情報信号領域よりもテストリード領域においてトラッキングサーボが安定になり、再生を行うための設定値（再生パワー値、フォーカスサーボオフセット値、球面収差補正値、およびチルトの少なくとも１つの値）の最適値を求めるときにより大きく設定値を変化させることができる。
【００４７】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００４８】
さらに、上記の構成によれば、テストリード領域のプリピットの形状を情報信号領域のプリピットの形状と異なる形状とすることなく、最短マーク長のプリピットの存在確率を変更することのみでトラッキングサーボを安定にすることができる。即ち、プリピット作製時の原盤作製条件（レジスト厚等）、或いはライトストラテジ（記録用信号を実際に光情報記録媒体に記録するとき、光情報記録媒体の微妙な違いに合わせて記録方法を変更する処理）を変更することなく、プリピットのパターンを変更することのみでトラッキングサーボを安定にすることができるため、コストを抑えることができるという効果を奏する。
【００４９】
また、本発明に係る光情報記録媒体は、上記第２プリピット列において、全てのプリピットに対する、最長マーク長のプリピットの存在確率が、上記第１プリピット列において、全てのプリピットに対する、上記最長マーク長のプリピットの存在確率より高いことを特徴としている。
【００５０】
上記の構成によれば、第２プリピット列において、全てのプリピットに対する、最長マーク長のプリピットの存在確率が、第１プリピット列において、全てのプリピットに対する、最長マーク長のプリピットの存在確率より高い。
【００５１】
本発明に係る光情報記録媒体を再生する光情報記録媒体再生装置のトラッキングエラー検出方式がＤＰＤ方式の場合、トラッキングサーボの安定性に関連するトラッキングエラー信号の振幅を大きくする（トラッキングサーボを安定にする）要因となる最長マーク長の存在確率が、情報信号領域よりもテストリード領域の方が高くなることで、情報信号領域よりもテストリード領域においてトラッキングサーボが安定になり、再生を行うための設定値（再生パワー値、フォーカスサーボオフセット値、球面収差補正値、およびチルトの少なくとも１つの値）の最適値を求めるときにより大きく設定値を変化させることができる。
【００５２】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００５３】
さらに、上記の構成によれば、テストリード領域のプリピットの形状を情報信号領域のプリピットの形状と異なる形状とすることなく、最短マーク長のプリピットの存在確率を変更することのみでトラッキングサーボを安定にすることができる。即ち、プリピット作製時の原盤作製条件、或いはライトストラテジを変更することなく、プリピットのパターンを変更することのみでトラッキングサーボを安定にすることができるため、コストを抑えることができるという効果を奏する。
【００５４】
また、本発明に係る光情報記録媒体は、上記第１プリピット列のプリピットの深さＤｉと、上記第２プリピット列のプリピットの深さＤｔとが、Ｄｉ／２≦Ｄｔ＜Ｄｉの関係を満たすことを特徴としている。
【００５５】
上記の構成によれば、本発明に係る光情報記録媒体を再生する光情報記録媒体再生装置のトラッキングエラー検出方式がプッシュプル方式の場合、トラッキングサーボの安定性に関連するトラッキングエラー信号の振幅が、情報信号領域よりもテストリード領域の方が大きくなることで、情報信号領域よりもテストリード領域においてトラッキングサーボが安定になるので、再生を行うための設定値（再生パワー値、フォーカスサーボオフセット値、球面収差補正値、およびチルトの少なくとも１つの値）の最適値を求めるときにより大きく設定値を変化させることができる。
【００５６】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００５７】
さらに、上記の構成によれば、テストリード領域のプリピットの深さが情報信号領域のプリピットの深さより浅いため、原盤からスタンパへと、さらには、スタンパから基板へと、プリピットを転写させて基板にプリピットを形成する場合において、テストリード領域のプリピットの深さが情報信号領域のプリピットの深さと同じであるときに比べて、精度良くプリピットを転写することができる。これにより、当該転写時における転写ムラ、転写時に出来るバリ等の、ノイズ成分となる要因を低減することができる。従って、テストリード領域のエラーレートを良好にし、再生設定値の最適値をより精度よく求めることが可能となる。
【００５８】
また、本発明に係る光情報記録媒体は、上記テストリード領域のトラックピッチＴＰｔと、上記第１プリピット列のプリピットにおけるピットの幅Ｗｉと、上記第２プリピット列のプリピットにおけるピットの幅Ｗｔとが、Ｗｉ＜Ｗｔ≦ＴＰｔ／２の関係を満たすことを特徴としている。
【００５９】
上記の構成によれば、本発明に係る光情報記録媒体を再生する光情報記録媒体再生装置のトラッキングエラー検出方式がプッシュプル方式の場合、トラッキングサーボの安定性に関連するトラッキングエラー信号の振幅が、情報信号領域よりもテストリード領域の方が大きくなることで、情報信号領域よりもテストリード領域においてトラッキングサーボが安定になるので、再生を行うための設定値（再生パワー値、フォーカスサーボオフセット値、球面収差補正値、およびチルトの少なくとも１つの値）の最適値を求めるときにより大きく設定値を変化させることができる。
【００６０】
従って、エラーレートをさらに良好にし、デフォーカスマージン等のマージンをさらに幅広にすることができるという効果を奏する。さらに、上記光情報記録媒体再生装置のピックアップと光情報記録媒体とが接触し、光情報記録媒体に傷がつき二度と情報が再生出来なくなる、またはピックアップが故障して上記光情報記録媒体再生装置が使用不可になってしまう等の問題を防ぐことができる。
【００６１】
さらに、上記の構成によれば、テストリード領域のプリピットにおけるピットの幅が情報信号領域のプリピットにおけるピットの幅より広いため、原盤からスタンパへと、さらには、スタンパから基板へと、プリピットを転写させて基板にプリピットを形成する場合において、テストリード領域のプリピットにおけるピットの幅が情報信号領域のプリピットにおけるピットの幅と同じであるときに比べて、精度良くプリピットを転写することができる。これにより、当該転写時における転写ムラ、転写時に出来るバリ等の、ノイズ成分となる要因を低減することができる。従って、テストリード領域のエラーレートを良好にし、再生設定値の最適値をより精度よく求めることが可能となる。
【００６２】
また、本発明に係る光情報記録媒体再生装置は、上記のいずれかの光情報記録媒体を再生することが可能な光情報記録媒体再生装置であって、上記光情報記録媒体の所望位置に記録された情報を再生する再生手段と、上記再生手段が上記光情報記録媒体のテストリード領域のプリピットを読み取った再生信号に基づいて、上記設定値の最適値を求め、当該設定値の最適値を基に、上記再生手段を制御する制御手段とを備えることを特徴としている。
【００６３】
上記の構成によれば、設置時および可動時の機械的ずれ、再生装置毎の特性ばらつき、および光情報記録媒体毎の特性ばらつきに起因して一定値とはならない、再生を行うための設定値の最適値を、テストリード領域で光情報記録媒体１枚毎に求めてから、コンテンツが記録された情報信号領域を再生する。従って、情報信号領域におけるコンテンツの再生を、媒体ごとに最適に行うことができるという効果を奏する。
【００６４】
また、本発明に係る光情報記録媒体再生装置の制御方法は、上記の光情報記録媒体を再生することが可能な光情報記録媒体再生装置の制御方法であって、上記光情報記録媒体の所望位置に記録された情報を再生する再生ステップと、上記再生ステップにて上記光情報記録媒体のテストリード領域のプリピットを読み取った再生信号に基づいて、上記設定値の最適値を求め、当該設定値の最適値を基に、上記再生ステップによる再生を制御する制御ステップとを含むことを特徴としている。
【００６５】
上記の構成によれば、設置時および可動時の機械的ずれ、再生装置毎の特性ばらつき、および光情報記録媒体毎の特性ばらつきに起因して一定値とはならない、再生を行うための設定値の最適値を、テストリード領域で光情報記録媒体１枚毎に求めてから、コンテンツが記録された情報信号領域を再生する。従って、情報信号領域におけるコンテンツの再生を、媒体ごとに最適に行うことができるという効果を奏する。
【００６６】
なお、上記光情報記録媒体再生装置は、コンピュータによって実現してもよく、この場合には、コンピュータを上記制御手段として動作させることにより上記光情報記録媒体再生装置をコンピュータにて実現させる光情報記録媒体再生装置の制御プログラム、および、それを記録したコンピュータ読み取り可能な記録媒体も、本発明の範疇に入る。
【００６７】
以上のとおり、本発明に係る光情報記録媒体は、凹および凸の少なくとも一方からなるプリピットにより情報が記録され、光情報記録媒体再生装置によって、当該プリピットに光が照射されることにより上記情報が再生される光情報記録媒体であって、コンテンツが記録された情報信号領域と、上記光情報記録媒体再生装置が上記再生を行うための設定値を調整するためのテストリード領域と、が設けられており、上記情報信号領域に形成された複数のプリピットからなる第１プリピット列の最短マーク長は、上記光情報記録媒体再生装置が有する光学系解像限界の長さよりも短く、上記テストリード領域に記録された複数のプリピットであって、上記調整を行うための複数のプリピットからなる第２プリピット列におけるマーク長の種類は、上記第１プリピット列におけるマーク長の種類の一部または全部と同じであり、上記第２プリピット列は、上記光情報記録媒体再生装置が有する光学系解像限界の長さよりも短いマーク長のプリピットを含み、上記第１および第２プリピット列におけるマーク長が３種類以上である構成である。
【００６８】
従って、本発明の光情報記録媒体、即ち、超解像光情報記録媒体において、情報信号領域におけるコンテンツの再生を、媒体ごとに最適に行うことができるという効果を奏する。
【図面の簡単な説明】
【００６９】
【図１】本発明の一実施形態を示すものであり、超解像媒体の概略構成を示す平面図である。
【図２】上記超解像媒体の構造を、部分的に示す断面図である。
【図３】上記超解像媒体の、情報信号領域におけるプリピット列を拡大して示す平面図、および、同平面図における２１ａ−２１ｂ線の断面図である。
【図４】上記超解像媒体の、テストリード領域におけるプリピット列を拡大して示す平面図、および、同平面図における２２ａ−２２ｂ線の断面図である。
【図５】ピットの深さと再生信号の振幅およびプッシュプル方式のトラッキングエラー信号の振幅との関係を示すグラフである。
【図６】本発明の一実施形態を示すものであり、光記録媒体再生装置の概略構成を示すブロック図である。
【図７】上記光記録媒体再生装置の制御部の構成を示すブロック図である。
【図８】上記光記録媒体再生装置の処理動作の流れを示すフローチャートである。
【符号の説明】
【００７０】
１  超解像媒体（光情報記録媒体）
２  基板
３  反射層
４  超解像再生層
５  カバー層
１１  情報信号領域
１２  テストリード領域
２１  プリピット列（第１プリピット列）
２２  プリピット列（第２プリピット列）
１００  再生装置（光情報記録媒体再生装置）
１０１  半導体レーザ
１０２  コリメートレンズ
１０３  ビーム整形プリズム
１０４  ビームスプリッタ
１０５  対物レンズ
１０６  検出光学系
１０７  スピンドルモータ
１０８  光学ヘッド（再生手段）
１０９  制御部（制御手段）
１１０Ａ  レーザ制御回路
１１０Ｂ  信号処理回路
１１１  ヘッドアンプ
１１２Ａ  ＲＦアンプ
１１２Ｂ  ＲＦ信号処理回路
１１３  サーボ処理回路
１１４  光ピックアップ用モータ
１１５  ビームエキスパンダ制御回路
１１６  光学ヘッドチルト制御回路
１１７  アクチュエータ
１１８  ビームエキスパンダ
１１９  チルト調整機構
１３１  アクセス位置制御部
１３２  信号処理部
１３３  媒体識別部
１３４  再生条件調整部
１３４Ａ  再生パワー値調整部
１３４Ｂ  サーボオフセット値調整部
１３４Ｃ  球面収差補正値調整部
１３４Ｄ  チルト調整部
【発明を実施するための最良の形態】
【００７１】
〔実施の形態１〕
本発明の実施の一形態に係る光情報記録媒体について、図１〜図５を用いて説明する。【００７２】
図１は、本実施の形態に係る光情報記録媒体の概略構成を示す図であり、図２は、上記光情報記録媒体の構造を、部分的に示す断面図である。【００７３】
図１に示す超解像媒体（光情報記録媒体）１は、再生専用の光情報記録媒体であって、断面構造がＢＤ（Blu-ray Disc）タイプの光情報記録媒体である。なお、以下の説明において、再生装置（光情報記録媒体再生装置）１００（図６参照）とは、別の実施の形態にて後述する、超解像媒体１と通常光情報記録媒体との両方を再生することができる、光情報記録媒体再生装置を意味する。【００７４】
超解像媒体１には、映像および／または音声等のコンテンツが記録されている情報信号領域１１と、再生設定値を調整するための情報（再生設定値調整情報）が記録されているテストリード領域１２とが設けられている。なお、再生設定値とは、再生パワー値、サーボオフセット値、球面収差補正値、およびチルトのうち、少なくとも１つまたは全部である。【００７５】
また、図２に示すとおり、超解像媒体１は、基板２上に、反射層３（例えばシリコンの場合、厚さ５０ｎｍ）と、超解像再生を可能とする超解像再生層４（例えば酸化亜鉛の場合、厚さ１０５ｎｍ）と、透光性を有するカバー層５（厚さ１００μｍ）とが設けられた構造となっている。なお、反射層３、超解像再生層４、およびカバー層５の厚さはいずれも、上記括弧内に記載の厚さに限らず、超解像媒体１の設計に応じて、適宜設定することが可能である。【００７６】
そして、再生装置１００からの再生レーザ光は、カバー層５側から超解像媒体１に照射される。【００７７】
基板２は、周知の種々の基板を用いることが可能であり、このような基板２としては、例えば、ポリオレフィン系樹脂またはポリカーボネート樹脂等が挙げられる。【００７８】
反射層３の材料としては、シリコンまたはアルミニウム等が、超解像再生層４の材料としては、酸化亜鉛等が挙げられるが、これらに限らず、反射層３および超解像再生層４は、超解像再生が可能となる材料および構成であれば、どのような材料および構成により形成されてもよい。なお、超解像再生層４のみで超解像再生が可能であれば、反射層３を省略した構成であっても良い。また、反射層３および超解像再生層４は、例えばスパッタリング法または真空蒸着法等によって形成される。【００７９】
カバー層５の材料としては、ポリカーボネート樹脂または透明紫外線硬化樹脂等が挙げられる。なお、透明紫外線硬化樹脂等によりカバー層５を形成する場合、スピンコート法等により形成される。また、ポリカーボネート樹脂によりカバー層５を形成する場合、例えば厚さ１００μｍのポリカーボネートシートを超解像再生層４に貼り付けて形成される。【００８０】
図３の（ａ）は、超解像媒体１の、情報信号領域１１におけるプリピット列２１を拡大して示す平面図であり、同図の（ｂ）は、同図の（ａ）の２１ａ−２１ｂ線における断面図である。また、図４の（ａ）は、超解像媒体１の、テストリード領域１２におけるプリピット列２２を拡大して示す平面図であり、同図の（ｂ）は、同図の（ａ）の２２ａ−２２ｂ線における断面図である。【００８１】
基板２上には、情報信号領域１１において、再生装置１００が有する解像限界の長さより短い最短マーク長を有し、かつ、３種類以上のマーク長を有する、凹および／または凸からなるプリピット列（第１プリピット列）２１（図３参照）が、スパイラル状または同心円状にあらかじめ形成されている。【００８２】
また、基板２上には、テストリード領域１２において、プリピット列（第２プリピット列）２２（図４参照）が、スパイラル状または同心円状にあらかじめ形成されている。【００８３】
ここで、注目すべき点は、テストリード領域１２のプリピット列２２は、情報信号領域１１のプリピット列２１のマーク長とほぼ同じマーク長を有する、という点である。【００８４】
再生装置１００が有する解像限界の長さより短い最短マーク長を有する超解像媒体を再生するためには、通常媒体より高い再生パワーが必要であることは上述したが、超解像媒体ではさらに、マーク長によって再生信号の振幅が最大となる再生パワー値および／またはフォーカスサーボオフセット値等の最適値、或いはエラーレートが最良となる当該最適値が異なる。なお、これは、再生信号の振幅が最大となるレーザスポットサイズ、或いは、エラーレートが最良となるレーザスポットサイズがマーク長によって異なり、それに伴い、レーザスポットを擬似的に縮小する度合いに影響する再生パワー値および／またはフォーカスサーボオフセット値等が、マーク長により異なることが理由であると考えられる。【００８５】
この場合、テストリード領域１２のプリピット列２２が、情報信号領域１１のプリピット列２１のマーク長とほぼ同じマーク長を有すると、テストリード領域における再生パワー値および／またはフォーカスサーボオフセット値等の最適値は、情報信号領域１１における当該最適値と概ね同一となる。そしてこれにより、最適な再生設定値を精度良く求めることが可能となり、エラーレートは、非常に良くなる。【００８６】
なお、情報信号領域１１におけるプリピット列２１のプリピット３１は、図３の（ａ）および図３の（ｂ）に示すとおり、ピット深さがＤｉ、ピット幅がＷｉ、トラックピッチがＴＰｉであるものとする。また、テストリード領域１２におけるプリピット列２２のプリピット３２は、図４の（ａ）および図４の（ｂ）に示すとおり、ピット深さがＤｔ、ピット幅がＷｔ、トラックピッチがＴＰｔであるものとする。【００８７】
ここで、ピット幅Ｗｉは、図３の（ｂ）に示すとおり、プリピット３１における底面と開口面との中間、即ち、底面から高さＤｔ／２の面における、プリピット３１の半径方向のピットの長さを意味する。ピット幅Ｗｔは、図４の（ｂ）に示すとおり、プリピット３２における底面と開口面との中間、即ち、プリピット３２における底面から高さＤｔ／２の面における、プリピット３２の半径方向のピットの長さを意味する。【００８８】
情報信号領域１１には、映像および／または音声等のコンテンツが、再生装置１００が有する解像限界の長さより短い最短マーク長と最長マーク長とを含み、かつ、３種類以上のマーク長を有する、プリピット列２１により記録される。但し、最短マーク長、最長マーク長およびマーク長の種類数は、上記に限られるものではないが、マーク長の種類は３種類以上であることが好ましい。【００８９】
その理由について説明する。【００９０】
コンテンツのデジタル信号は一般的に、ある規則にしたがって符号化され、複数の種類のマーク長を有するプリピット列２１として記録される。ここで、上記デジタル信号を２種類以下のマーク長に符号化する符号化方式を採用した場合、符号化効率が悪化し、情報密度は低下する。そのため、上記符号化方式を採用することは、現実的ではない。【００９１】
従って、情報信号領域１１に記録されるコンテンツは、３種類以上のマーク長を有するプリピット列、例えば７種類のマーク長を有するプリピット列として記録される。【００９２】
一般的な光情報記録媒体におけるマーク長の種類数を例示すると、再生専用型ＣＤおよび再生専用型ＤＶＤでは、マーク長の種類数は９種類であり、情報信号領域に記録されるコンテンツは、９種類のマーク長を有するプリピット列として記録される。【００９３】
また、情報信号領域１１に形成されたプリピット列２１における最短マーク長は、再生装置１００が有する解像限界の長さより短い。【００９４】
通常媒体では、プリピット列の最短マーク長が、再生装置１００が有する解像限界より短い場合は、情報信号領域に記録されたコンテンツを再生することができない。そのため、通常媒体に形成されたプリピット列における最短マーク長は、再生装置１００が有する解像限界以上の長さとなる。【００９５】
一方、超解像媒体１の情報信号領域１１では、最短マーク長は再生装置１００が有する解像限界の長さより短いため、超解像媒体１は、通常媒体より高密度な記録が可能となっている。【００９６】
再生装置１００が有する解像限界は、上述のとおり、再生装置１００の再生レーザ光の波長をλ、再生装置１００の対物レンズの開口数をＮＡとすると、理論的にはλ／４ＮＡで表される。例えば、再生装置１００の再生レーザ光の波長λが４０５ｎｍであり、対物レンズの開口数ＮＡが０．８５である場合、再生装置１００が有する解像限界は、λ／４ＮＡ＝１１９ｎｍとなる。そして、プリピット列２１の最短マーク長は、上記再生装置１００が有する解像限界よりも小さな値でさえあれば、任意の値を設定することが可能である。この場合、プリピット列２１の最短マーク長は、上記再生装置１００が有する解像限界よりも小さい値、例えば１１６ｎｍに設定すればよい。【００９７】
なお、プリピット列２１の最長マーク長は、上記最短マーク長よりも大きな値でさえあればよい。従って上記の場合、プリピット列２１の最長マーク長は、プリピット列２１の最短マーク長よりも大きい値、例えば４６４ｎｍに設定すればよい。【００９８】
さらに、図２に示すとおり、超解像媒体１は、超解像再生層４が設けられていることにより、再生装置１００が有する解像限界の長さより短い最短マーク長を有するプリピット列２１および２２の再生が可能となっている。【００９９】
テストリード領域１２は、図１に示すとおり、情報信号領域１１の内周側にあらかじめ割り当てられた領域であり、情報信号領域１１の再生時における最適な再生設定値を調整するための、プリピット列２２が形成されている。【０１００】
テストリード領域１２に形成されたプリピット列２２は、情報信号領域１１のプリピット列２１におけるマーク長とほぼ同じマーク長を有する（最短マーク長：１１６ｎｍ、最長マーク長：４６４ｎｍ、マーク長の種類数：７種類）。【０１０１】
これにより、再生設定値の変化が、自身の特性、例えばエラーレート等に、通常媒体より大きく影響する超解像媒体１において、情報信号領域１１を再生する前に、最適な再生設定値を求めることができるため、テストリード領域１２が無い場合と比較して、エラーレートを良好にし、デフォーカスマージン等のマージンが幅広にすることができる。【０１０２】
ここで、テストリード領域１２のプリピット列２２は、情報信号領域１１のプリピット列２１が有する、複数の種類のマーク長を全て有していなくても、再生設定値の実際の最適値を求めることは可能である。しかしながら、テストリード領域１２のプリピット列２２は、情報信号領域１１のプリピット列２１が有する、複数の種類のマーク長を全て有しているのが好ましい。【０１０３】
この理由は、下記にある。【０１０４】
即ち、上述のとおり、超解像媒体１では、再生装置１００が有する解像限界の長さより短い最短マーク長を再生するには、通常媒体より高い再生パワーが必要であるが、さらに、マーク長によって再生信号振幅が最大、あるいは、エラーレートが最良となる最適再生パワー値、フォーカスサーボオフセット値等の再生設定値が異なる。なお、これは、マーク長により再生信号の振幅が最大となるレーザスポットサイズおよびエラーレートが最良となるレーザスポットサイズが異なるため、レーザスポットを擬似的に縮小する度合いに影響を与える再生パワー値およびフォーカスサーボオフセット値等がマーク長により異なることが理由であると考えられる。【０１０５】
このため、３種類以上のマーク長を有するプリピット列２１が形成された情報信号領域１１における最適な再生パワー値および／またはフォーカスサーボオフセット値等をそれぞれ１つに決定するためには、プリピット列２１が有し得る全種類のマーク長を有するプリピット列において、総合的に判断される。即ち、例えば、プリピット列２１が有し得る全種類のマーク長を有するプリピット列において、エラーレートが最低となる再生パワー値および／またはフォーカスサーボオフセット値が求められる。これにより、マーク長を全種類有していないプリピット列において判断するより、より最適な再生パワー値および／またはフォーカスサーボオフセット値等を、それぞれ１つ求めることができる。【０１０６】
なお、本実施の形態では、テストリード領域１２は、情報信号領域１１の内周側に設けられるが、これに限定されるものではなく、情報信号領域１１の外周側に設けられても良いし、情報信号領域１１の内部に情報信号領域１１とは別に設けられてもよい。【０１０７】
但し、超解像媒体１において、テストリード領域１２が設けられる領域は、リードインエリア（図示しない）が設けられる領域に基づいて決定するのが好ましい。【０１０８】
リードインエリアとは、媒体を識別する情報（再生専用型、１回記録型、書き換え可能型、超解像媒体、等）、推奨記録パワー、および再生パワー等の情報がプリピット列として記録されている領域である。なお、リードインエリアの再生パワーは通常媒体の再生パワーであることが一般的であるため、リードインエリアのプリピット列の最短マーク長は再生装置１００が有する解像限界の長さより長いのが望ましい。【０１０９】
上記のリードインエリアを有する超解像媒体１を再生装置１００により再生する場合において、再生装置１００は、リードインエリアを最初に再生する。即ち、上記の場合、再生装置１００による再生の順番は、リードインエリア→テストリード領域１２→情報信号領域１１となる。【０１１０】
また、リードインエリアは、通常、再生装置１００が再生可能な超解像媒体１の領域であって、情報信号領域１１より内周側の領域に設けられる。そのため、テストリード領域１２が情報信号領域１１より内周側に、さらに好ましくはリードインエリアの内部にテストリード領域１２が設けられると、リードインエリアを再生後、後述する再生装置１００のピックアップの移動距離（リードインエリアからテストリード領域１２への移動距離）が短くなる。【０１１１】
従って、情報信号領域１１を再生するまでの時間が短縮され、すぐにデータの再生が可能となり、またピックアップを動かすための消費電力も抑えることができる。【０１１２】
また、光情報記録媒体および光情報記録媒体再生装置の規格により、情報信号領域１１の外周側に設けられたリードインエリアを最初に再生することが義務付けられる場合、テストリード領域１２は、情報信号領域１１より外周側に、好ましくはリードインエリアの内部に設けられていればよい。これによって、上述した、リードインエリアおよびテストリード領域１２が情報信号領域１１より内周側の領域に設けられる場合と同様の効果を得ることができる。【０１１３】
また、超解像媒体１の再生中に、テストリード領域１２にて再生パワー値等を最適化する場合には、情報信号領域１１の内部にもテストリード領域１２が設けられることが好ましい。【０１１４】
この場合、例えば内周側（または外周側）のみにテストリード領域１２が設けられている場合に比べて、情報信号領域１１の再生中の領域とテストリード領域１２とを往復する距離が短くなるため、ピックアップを動かすための消費電力を抑えることができる。【０１１５】
さらに、テストリード領域１２は、情報信号領域１１以外の領域であって、再生装置１００が有する解像限界の長さより短い最短マーク長を有し、かつ、３種類以上のマーク長を有する領域を再生する場合において、再生パワー値等の最適値を求めるのに使用することもできる。【０１１６】
即ち、例えば、リードインエリアに記録されている、情報信号領域１１の位置を示す情報、および／または、書き換え型光情報記録媒体におけるアドレス情報等が、再生装置１００が有する解像限界の長さより短い最短マーク長を有し、かつ、３種類以上のマーク長を有する、プリピット列により記録されている場合には、テストリード領域１２にて再生パワー値等の最適化を行った後に、上記リードインエリアのプリピット列および／またはアドレス情報のプリピット列を再生することにより、エラーレートを良好にし、デフォーカスマージン等のマージンが幅広にすることができる。【０１１７】
また、再生設定値が一定の場合、テストリード領域１２のトラッキングエラー信号の振幅が、情報信号領域１１のトラッキングエラー信号の振幅より大きいことが好ましい。【０１１８】
上記の構成によれば、超解像媒体１を再生する再生装置１００のトラッキングエラー検出方式がＤＰＤ方式であってもプッシュプル方式であっても、トラッキングサーボの安定性に関連するトラッキングエラー信号の振幅が、情報信号領域１１よりもテストリード領域１２の方を大きくなることにより、情報信号領域１１よりもテストリード領域１２においてトラッキングサーボが安定になり、再生を行うための設定値（再生パワー値、フォーカスサーボオフセット値、球面収差補正値、およびチルトの少なくとも１つの値）の最適値を求めるときにより大きく設定値を変化させることができる。【０１１９】
ここで、情報信号領域１１のトラッキングエラー信号の振幅は、過度に大きくすることは好ましくない。なぜなら、情報信号領域１１のトラッキングエラー信号の振幅を大きくすると、トラッキングサーボは安定するが、当該振幅がある一定の値を超えると、情報信号領域１１の再生信号のエラーレートが悪化してしまうためである。【０１２０】
一方、テストリード領域１２では、再生設定値の最適値を求めることが目的である。そのため、トラッキングエラー信号の振幅が上記ある一定値を超え再生信号のエラーレートが多少悪化したとしても、トラッキングサーボが安定になることで再生設定値の最適値を好適に求めることができる。【０１２１】
これにより、エラーレートをさらに良好にし、デフォーカスマージン等のマージンをさらに幅広にすることができるという効果を奏する。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１２２】
なお、テストリード領域１２のトラッキングエラー信号の振幅を、情報信号領域１１のトラッキングエラー信号の振幅より大きくする手段はどのようなものでも良い。【０１２３】
以下、上記手段の一例について説明する。【０１２４】
テストリード領域１２のプリピット列２２における最短マーク長の存在確率は、情報信号領域１１のプリピット列２１における最短マーク長の存在確率より低いことが好ましい。【０１２５】
なお、本願では、存在確率とは、トラック１周分のプリピット列における特定のマーク長の出現回数を、上記トラック１周分のプリピット列における全種類のマーク長の出現回数で割ったもの、即ち、トラック１周分の特定マーク長の存在確率である。例えば、最短マーク長の存在確率とは、トラック１周分のプリピット列における最短マーク長の出現回数を、上記トラック１周分のプリピット列における全種類のマーク長の出現回数で割ったものである。【０１２６】
再生装置１００のトラッキングエラー検出方式がＤＰＤ方式の場合、トラッキングサーボの安定性に関連するトラッキングエラー信号の振幅を小さくする（トラッキングサーボを不安定にする）要因となる最短マーク長の存在確率が、情報信号領域１１よりもテストリード領域１２の方が低くなることで、情報信号領域１１よりもテストリード領域１２においてトラッキングサーボが安定になり、再生設定値の最適値を求めるときにより大きく設定値を変化させることができる。【０１２７】
このため、エラーレートをさらに良好にし、デフォーカスマージン等のマージンをさらに幅広にすることができる。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１２８】
ここで、再生装置のトラッキングエラー検出方式がＤＰＤ方式の場合、最短マーク長の存在確率が低いとトラッキングエラー信号の振幅が小さくなる理由について説明する。【０１２９】
まず、トラッキングエラー検出方式について説明する。【０１３０】
光情報記録媒体のトラッキングエラー検出方式として現在広く用いられているものとして、上述したＤＰＤ方式とプッシュプル方式とがある。例えば、再生専用型ＤＶＤではＤＰＤ方式が、記録型ＤＶＤではプッシュプル方式が、広く用いられている。【０１３１】
ＤＰＤ方式は、ピットの回折光光量分布を４分割フォトディテクタで検出し、対角受光面上の和信号の位相差を、トラッキングエラー信号とする方式である。また、プッシュプル方式は、ピットおよび案内溝の回折光光量分布をそれぞれ、２分割フォトディテクタで検出し、２分割検出信号の差を、トラッキングエラー信号とする方式である。なお、例えばＣＤ−Ｒ（Compact Disk Recordable）およびＣＤ−ＲＷ（Compact Disk Rewritable）に用いられる、ＤＰＰ方式（Differential Push‐Pull：差動プッシュプル方式）は、プッシュプル方式に含むものとする。【０１３２】
ＤＰＤ方式では、再生信号の振幅がトラッキングエラー信号の振幅に大きく影響する。【０１３３】
即ち、再生信号の振幅が大きいほど、トラッキングエラー信号の振幅が大きくなる。また、プリピット列２１および２２では、最短マーク長は再生装置が有する解像限界の長さより短いため、最短マーク長の再生信号の振幅は他のマーク長の再生信号の振幅に比べて小さい。これは、最短マーク長の存在確率、即ち、トラック１周分における最短マーク長の出現回数が低いほど、トラッキングエラー信号の振幅が大きくなる、ということである。従って、再生装置のトラッキングエラー検出方式がＤＰＤ方式の場合、最短マーク長の存在確率が低いとトラッキングエラー信号の振幅が小さくなり、トラッキングサーボが安定となる。【０１３４】
ところで、通常、記録符号化方式が決まると、符号化されたデータにおける各マーク長の存在確率は、ほぼ一定となるため、コンテンツ情報が符号化されて記録された情報信号領域１１におけるプリピット列２１の最短マーク長の存在確率を低くすることは難しい。【０１３５】
一方、テストリード領域１２におけるプリピット列２２は、ある情報を符号化したものである必要はなく、プリピット列２２の再生パワー値等の最適値を求めるためのみに形成されているため、プリピット列２１が有するマーク長の、全種類のマーク長を有していれば、再生パワー値等を変化させたときのエラーレートおよび再生信号の振幅より、再生パワー値等の最適値を求めることができる。【０１３６】
従って、テストリード領域１２のプリピット列２２における最短マーク長の存在確率を、情報信号領域１１のプリピット列２１における最短マーク長の存在確率より低くすることで、再生パワー値等の変化に対してプリピット列２２のトラッキングサーボをプリピット列２１より安定にすることができる。【０１３７】
さらに、テストリード領域１２のプリピット列２２のプリピット３２の形状を、情報信号領域１１のプリピット列２１のプリピット３１の形状と異なる形状とすることなく、テストリード領域１２のプリピット列２２における最短マーク長のプリピット３２の存在確率を変更することのみでトラッキングサーボを安定にすることができる。即ち、プリピット２２および３２作製時における、基板２の元となる光情報記録媒体用の原盤の作製条件（レジスト厚等）、或いはライトストラテジを変更することなく、プリピット３２のパターンを変更することのみでトラッキングサーボを安定にすることができるため、コストを抑えることができるという効果を奏する。【０１３８】
また、テストリード領域１２のプリピット列２２における最長マーク長の存在確率は、情報信号領域１１のプリピット列２１における最長マーク長の存在確率より高いことが好ましい。【０１３９】
この場合、再生装置１００のトラッキングエラー検出方式がＤＰＤ方式であると、トラッキングサーボの安定性に関連するトラッキングエラー信号の振幅を大きくする要因となる最長マーク長の存在確率が、情報信号領域１１よりもテストリード領域１２の方が高くなることで、情報信号領域１１よりもテストリード領域１２においてトラッキングサーボが安定になり、再生設定値の最適値を求めるときにより大きく設定値を変化させることができる。【０１４０】
このため、エラーレートをさらに良好にし、デフォーカスマージン等のマージンをさらに幅広にすることができる。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１４１】
なお、再生装置１００のトラッキングエラー検出方式がＤＰＤ方式の場合、最長マーク長の存在確率が高いとトラッキングエラー信号の振幅が大きくなる原因については、下記のとおりである。【０１４２】
即ち、最長マーク長の再生信号振幅は他のマーク長の再生信号振幅に比べて大きいため、最長マーク長の存在確率、即ちトラック１周分における最長マーク長の出現回数が高いほど、トラッキングエラー信号の振幅が大きくなり、トラッキングサーボが安定となる。【０１４３】
さらに、テストリード領域１２のプリピット列２２のプリピット３２の形状を情報信号領域１１のプリピット列２１のプリピット３１の形状と異なる形状とすることなく、テストリード領域１２のプリピット列２２における最短マーク長のプリピット３２の存在確率を変更することのみでトラッキングサーボを安定にすることができる。即ち、プリピット３１および３２作製時における、上記原盤の作製条件（レジスト厚等）、或いはライトストラテジを変更することなく、プリピット３２のパターンを変更することのみでトラッキングサーボを安定にすることができるため、コストを抑えることができるという効果を奏する。【０１４４】
また、プリピット列２１のプリピットのピット深さＤｉと、プリピット列２２のプリピットのピット深さＤｔと、が、
Ｄｉ／２≦Ｄｔ＜Ｄｉ
の関係を満たすことが好ましい。【０１４５】
この場合、再生装置１００のトラッキングエラー検出方式がプッシュプル方式であると、トラッキングサーボの安定性に関連するトラッキングエラー信号の振幅が、情報信号領域１１よりもテストリード領域１２の方が大きくなることで、情報信号領域１１よりもテストリード領域１２においてトラッキングサーボが安定になり、再生設定値の最適値を求めるときにより大きく設定値を変化させることができる。【０１４６】
このため、エラーレートをさらに良好にし、デフォーカスマージン等のマージンをさらに幅広にすることができる。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１４７】
さらに、テストリード領域１２のプリピット列２２のプリピット３２の深さが、情報信号領域１１のプリピット列２１のプリピット３１の深さより浅いため、上記原盤からスタンパへと、さらには、スタンパから基板２へと、プリピット３１および３２を転写させて基板２にプリピット列２１および２２を形成する場合において、テストリード領域１２のプリピット列２２のプリピット３２の深さが、情報信号領域１１のプリピット列２１のプリピット３１の深さと同じであるときに比べて、精度良くプリピット列２１および２２を転写することができる。これにより、当該転写時における転写ムラおよび転写時に出来るバリ等の、ノイズ成分となる要因を低減することができる。従って、テストリード領域１２のエラーレートを良好にし、再生設定値の最適値をより精度よく求めることが可能となる。【０１４８】
ここで、ピット深さＤｉおよびピット深さＤｔが、上記の関係を満たすことにより、トラッキングサーボの安定性に関連するトラッキングエラー信号の振幅が、情報信号領域１１よりもテストリード領域１２の方が大きくなる理由について、図５を用いて説明する。【０１４９】
図５は、ピットの深さと再生信号の振幅およびプッシュプル方式のトラッキングエラー信号の振幅との関係を示すグラフである。【０１５０】
ピット深さＤｉは、任意の値を適宜設定しても構わない、と上述したが、このピット深さＤｉは、再生装置１００の再生レーザ光の波長をλ、光の回折が起こる箇所の材料の屈折率をｎとすると、ほぼλ／４ｎに等しく形成されるのが好ましい。これは、図５に示すとおり、ピットの有無による光強度の変化が最大となる、即ち、再生信号の振幅が最大となるピット深さが、λ／４ｎであるからである。【０１５１】
例えば、現在市販されている光情報記録媒体の場合を例にとると、再生専用型ＤＶＤの場合、記録密度を増加することを優先させているため、信号品質が最良となるλ／４ｎである約１００ｎｍのピット深さに形成することを前提に規格が設計されている（λ＝６５０ｎｍ、かつ、基板の屈折率ｎ＝１．５８）。【０１５２】
超解像媒体１も、情報度化を高めることが目的であるため、再生専用型ＤＶＤと同様に情報信号領域１１のプリピット深さＤｉは、ほぼλ／４ｎに等しく形成されることが好ましい。【０１５３】
しかしながら、図５から理解できるとおり、ピット深さがほぼλ／４ｎであるとき、プッシュプル方式のトラッキングエラー信号は、ほぼ０となってしまい、トラッキングサーボは不安定となる。【０１５４】
テストリード領域１２では、再生パワー値等を変化させるので、トラッキングサーボが安定して機能することが重要であるため、再生信号の振幅が最良であることより、トラッキングエラー信号の振幅が大きくなることが重要である。従って、テストリード領域１２のプリピット深さＤｔを、
λ／８ｎ≦Ｄｔ＜λ／４ｎ
を概ね満たす値、即ち、
Ｄｉ／２≦Ｄｔ＜Ｄｉ
を満たす値に設定する。【０１５５】
これによって、図５に示すとおり、再生信号の振幅は情報信号領域１１より小さくなるが、トラッキングエラー信号の振幅は大きくなるため、テストリード領域１２のトラッキングサーボが情報信号領域１１より安定となる。【０１５６】
ところで、ピット深さＤｔをピット深さＤｉより深く形成しても、ピット深さＤｔをピット深さＤｉより浅く形成したときと同様に、トラッキングエラー信号の振幅は大きくなる。【０１５７】
しかしながら、一般に、ピット深さを浅く形成するよりも深く形成した場合の方が、上記原盤の作製が困難となり、また、上記原盤から基板２へのプリピット列２１および２２の転写が困難となる。つまり、ピット深さを深くすれば、その分基板２の作製は困難となる。従って、ピット深さＤｔはピット深さＤｉより浅く形成するのが好ましい。【０１５８】
また、図５より明らかなとおり、ピット深さＤｔがピット深さＤｉ／２より浅いピット深さの範囲よりも、ピット深さＤｔがピット深さＤｉ／２より深くＤｉより浅いピット深さの範囲の方が、同じトラッキングエラー信号の振幅で、大きな再生信号の振幅が得られる。トラッキングエラー信号の振幅が同じ場合は、再生信号の振幅は大きい方が最適パワー値等を求めるときにも好ましいので、ピット深さＤｔはピット深さＤｉ／２より深いことが好ましい。【０１５９】
また、テストリード領域１２のトラックピッチＴＰｔと、上記プリピット列２２のピット幅Ｗｔと、上記プリピット列２１のピット幅Ｗｉとは、
Ｗｉ＜Ｗｔ≦ＴＰｔ／２
の関係を満たすことが好ましい。【０１６０】
この場合、再生装置１００のトラッキングエラー検出方式がプッシュプル方式であると、トラッキングサーボの安定性に関連するトラッキングエラー信号の振幅が、情報信号領域１１よりもテストリード領域１２の方が大きくなることで、情報信号領域１１よりもテストリード領域１２においてトラッキングサーボが安定になるので、再生設定値の最適値を求めるときにより大きく設定値を変化させることができる。【０１６１】
このため、エラーレートをさらに良好にし、デフォーカスマージン等のマージンをさらに幅広にすることができる。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１６２】
さらに、テストリード領域１２のプリピット列２２のプリピット３２におけるピット幅が情報信号領域１１のプリピット列２１のプリピット３１におけるピット幅より広いため、上記原盤からスタンパへと、さらには、スタンパから基板２へと、プリピット３１および３２を転写させて基板２にプリピット列２１および２２を形成する場合において、テストリード領域１２のプリピット列２２のプリピット３２におけるピット幅が情報信号領域１１のプリピット列２１のプリピット３１におけるピット幅と同じであるときに比べて、精度良くプリピット列２１および２２を転写することができる。これにより、当該転写時における転写ムラ、転写時に出来るバリ等の、ノイズ成分となる要因を低減することができる。従って、テストリード領域１２のエラーレートを良好にし、再生設定値の最適値をより精度よく求めることが可能となる。【０１６３】
ここで、トラックピッチＴＰｔ、ピット幅Ｗｔ、およびピット幅Ｗｉが上記の関係を満たすことによって、トラッキングサーボの安定性に関連するトラッキングエラー信号の振幅が、情報信号領域１１よりもテストリード領域１２の方が大きくなる理由について説明する。【０１６４】
トラッキングエラー検出方式がプッシュプル方式の場合における、トラッキングエラー信号の振幅とピット幅との関係をスカラー回折計算法で計算したところ、ピット長が無限大の場合はピット幅がＴｐ／２で、ピット長がビーム径より小さい場合はピット幅がＴｐ／２より大きな値で、トラッキングエラー信号の振幅が最大となり、ピット幅がＴｐ／２より小さくなるほどトラッキングエラー信号の振幅は小さくなることがわかった。即ち、情報信号領域１１のプリピット列２１は様々なマーク長が存在するためトラッキングエラー信号の振幅に最適なピット幅は不明であるが、少なくともピット幅がＴｐ／２より小さな範囲では、ピット幅が大きいほうがトラッキングエラー信号の振幅は大きい。【０１６５】
また、通常、情報信号領域１１のプリピット幅Ｗｉは、ＴＰｉ／２より小さい。これは、プリピット幅ＷｉがＴＰｉ／２となるような幅の広いピットを形成するのには、手間がかかるためである。【０１６６】
例えば、現在市販されている光情報記録媒体の場合を例にとると、再生専用型ＣＤでは、トラックピッチ１．６０μｍに対してピット幅は０．３〜０．６μｍであり、再生専用型ＤＶＤでは、トラックピッチ０．７４μｍに対してピット幅は約０．３μｍであり、ピット幅はトラックピッチの半分の値より小さな値となっている。【０１６７】
詳細については後述するが、テストリード領域１２のトラックピッチＴＰｔは、情報信号領域１１のトラックピッチＴＰｉより広いことが好ましいため、情報信号領域１１のプリピット幅ＷｉはＴＰｔ／２より小さい。以上のことより、テストリード領域１２のプリピット幅Ｗｔが、
Ｗｉ＜Ｗｔ≦ＴＰｔ／２
を満たすことにより、トラッキングエラー信号の振幅が大きくなるため、テストリード領域１２のトラッキングサーボが情報信号領域１１より安定となる。【０１６８】
また、再生装置１００の再生レーザ光の波長λと、再生装置１００の対物レンズの開口数ＮＡと、テストリード領域１２のトラックピッチＴＰｔと、情報信号領域１１のトラックピッチＴＰｉとが、
ＴＰｉ＜ＴＰｔ≦λ／ＮＡ
の関係を満たすことが好ましい。【０１６９】
これによって、再生装置１００のトラッキングエラー検出方式がＤＰＤ方式およびプッシュプル方式のいずれの場合においても、トラッキングサーボの安定性に関連するトラッキングエラー信号の振幅が、情報信号領域１１よりもテストリード領域１２の方が大きくなることで、情報信号領域１１よりもテストリード領域１２においてトラッキングサーボが安定になるので、再生設定値の最適値を求めるときにより大きく設定値を変化させることができる。【０１７０】
このため、エラーレートをさらに良好にし、デフォーカスマージン等のマージンをさらに幅広にすることができる。さらに、再生装置１００のピックアップと超解像媒体１とが接触し、超解像媒体１に傷がつき二度と情報が再生出来なくなる、またはピックアップが故障して再生装置１００が使用不可になってしまう等の問題を防ぐことができる。【０１７１】
さらに、テストリード領域１２のトラックピッチが情報信号領域１１のトラックピッチより広いため、テストリード領域１２における再生信号のクロストーク量を低減することができる。クロストーク量が大きいと、信号再生時のノイズ成分は増大しエラーレートは悪化する。つまり、上記の構成によれば、テストリード領域１２のトラックピッチと情報信号領域１１のトラックピッチとが同じである場合に比べて、ノイズ成分を低減することができるため、テストリード領域１２のエラーレートを良好にし、より信頼性の高い再生設定値の最適値を求めることができる。【０１７２】
ここで、開口数ＮＡ、トラックピッチＴＰｔ、およびトラックピッチＴＰｉが上記の関係を満たすことによって、トラッキングサーボの安定性に関連するトラッキングエラー信号の振幅が、情報信号領域１１よりもテストリード領域１２の方が大きくなる理由について説明する。【０１７３】
再生装置１００の再生レーザ光のビーム径は、一般的におおよそＮＡ／λで表される。【０１７４】
ここで、トラックピッチがビーム径、即ちＮＡ／λより小さいときは、トラッキングエラー検出方式がＤＰＤ方式、およびプッシュプル方式のいずれの場合においても、トラッキングエラー信号は隣接するトラックからの干渉を受け、トラックピッチが小さいほどトラッキングエラー信号の振幅は小さくなる。【０１７５】
一方、トラックピッチがビーム径、即ちＮＡ／λより大きいときは、トラッキングエラー検出方式がＤＰＤ方式、およびプッシュプル方式のいずれの場合においても、トラッキングエラー信号は隣接するトラックからの干渉を受けないので、トラックピッチに依存せずトラッキングエラー信号振幅はほぼ一定となる。但し、トラックピッチが大きいほど記録密度は低下する。【０１７６】
以上のことより、テストリード領域１２のトラックピッチＴＰｔが、
ＴＰｉ＜ＴＰｔ≦λ／ＮＡ
を満たすことにより、トラッキングサーボの安定性に関連するトラッキングエラー信号の振幅が、情報信号領域１１よりもテストリード領域１２の方が大きくなる。【０１７７】
また、リードインエリアのトラックピッチをＴＰｌとするとき、ＴＰｌ＜ＴＰｔを満たすことがより好ましい。なお、情報信号領域１１のトラックピッチＴＰｉは、高密度化のためリードインエリアのトラックピッチＴＰｌより小さくても良い。この場合は、テストリード領域１２のトラックピッチＴＰｔが、リードインエリアのトラックピッチＴＰｌより大きいことにより、トラッキングサーボがより安定になるので、再生設定値の最適値を求めるときにさらに大きく設定値を変化させることができる。このため、エラーレートをさらに良好にし、デフォーカスマージン等のマージンをさらに幅広にすることができる。【０１７８】
〔実施の形態２〕
本発明の別の実施形態について図６〜図８に基づいて説明すると以下の通りである。【０１７９】
図６は、本実施の形態に係る光情報記録媒体再生装置の概略構成を示す図である。【０１８０】
図６に示す再生装置（光情報記録媒体再生装置）１００は、上述した超解像媒体１および通常媒体を再生することが可能な再生装置である。【０１８１】
再生装置１００は、スピンドルモータ１０７、光学ヘッド（光ピックアップ、再生手段）１０８、制御部（制御手段）１０９、レーザ制御回路１１０Ａ、信号処理回路１１０Ｂ、ヘッドアンプ１１１、ＲＦアンプ１１２Ａ、ＲＦ信号処理回路１１２Ｂ、サーボ処理回路１１３、光ピックアップ用モータ１１４、ビームエキスパンダ制御回路１１５、および光学ヘッドチルト制御回路１１６を備えている。【０１８２】
また、光学ヘッド１０８は、半導体レーザ１０１、コリメートレンズ１０２、ビーム整形プリズム１０３、ビームスプリッタ１０４、対物レンズ１０５、光検出器１０６、アクチュエータ１１７、ビームエキスパンダ１１８、およびチルト調整機構１１９からなる。【０１８３】
なお、本実施の形態では、半導体レーザ１０１の波長λは４０５ｎｍ、対物レンズ１０５の開口数ＮＡは０．８５であるものとする。しかしながら、半導体レーザ１０１の波長λおよび対物レンズ１０５の開口数ＮＡは上記の値に限らず、再生装置１００の設計に応じて適宜設定することが可能である。また、図６中の光情報記録媒体２００は、超解像媒体１であってもよいし、通常媒体であってもよい。【０１８４】
再生装置１００は、まず、スピンドルモータ１０７により光情報記録媒体２００を回転させ、制御部１０９により光ピックアップ用モータ１１４を制御して光学ヘッド１０８を移動させる。次に、レーザ制御回路１１０Ａにより半導体レーザ１０１から出射される再生レーザ光の再生設定値を、所定の再生設定値（通常媒体用の再生設定値）とし、半導体レーザ１０１から再生レーザ光を出射させる。なおこのとき、レーザ制御回路１１０Ａが出力する信号は、信号処理回路１１０Ｂに送られ、各種の信号処理が行われる。【０１８５】
半導体レーザ１０１から出射された上記再生レーザ光は、コリメートレンズ１０２によってほぼ平行光に変換され、ビーム整形プリズム１０３によってほぼ円形の光強度分布に整形され、ビームスプリッタ１０４を透過した後、対物レンズ１０５によって光情報記録媒体２００に集光される。そして、光情報記録媒体２００上で反射された反射光は、ビームスプリッタ１０４にて反射され、光検出器１０６に導かれる。【０１８６】
光検出器１０６は、自身に到達した上記反射光の偏光方向の変化および反射光強度の変化等に基づいて電気信号を出力し、当該電気信号は、ヘッドアンプ１１１にて増幅され、サーボ処理回路１１３、ビームエキスパンダ制御回路１１５、および光学ヘッドチルト制御回路１１６に送られる。ヘッドアンプ１１１にて増幅された電気信号が入力されると、サーボ処理回路１１３は、アクチュエータ１１７により対物レンズ１０５に対して各種のサーボ制御を行い、ビームエキスパンダ制御回路１１５は、ビームエキスパンダ１１８により光学ヘッド１０８に対してビーム径の調整処理を行い、光学ヘッドチルト制御回路１１６は、チルト調整機構１１９により対物レンズ１０５に対してチルトの調整処理を行う。ヘッドアンプ１１１にて増幅された電気信号はまた、制御部１０９へ送られる。【０１８７】
図７は、制御部１０９の構成を示している。図示のとおり、制御部１０９は、アクセス位置制御部１３１と、信号処理部１３２（識別情報取得手段）と、媒体識別部１３３（媒体識別手段）と、再生条件調整部（再生条件調整手段）１３４とを備える。【０１８８】
アクセス位置制御部１３１は、光情報記録媒体２００の所望の位置に光学ヘッド１０８がアクセスするように、光ピックアップ用モータ１１４を制御する。【０１８９】
なお、媒体を識別する媒体識別情報が記録される領域が、再生装置１００が有する解像限界より長い最短マーク長を有するプリピットの列からなる場合には、アクセス位置制御部１３１は、媒体識別部１３３による光情報記録媒体２００の識別結果に基づいて、光ピックアップ用モータ１１４を制御することが望ましい。本実施の形態では、上記媒体識別情報は、上述のリードインエリアに記録されているものとする。即ち、上記媒体識別情報は、再生装置１００が有する解像限界より長い最短マーク長を有するプリピットの列により記録されているものとする。【０１９０】
また、リードインエリアは、上記媒体識別情報の他に、特許文献２に開示される超解像媒体と同様に、あらかじめ再生設定値の最適値の推奨値が記録されていることが好ましい。これによって、後にテストリード領域１２に記録されている情報を読み出すときにおいて、最適な再生設定値により、テストリード領域１２に記録されている情報を読み出すことができる。但し、上記推奨値については、省略することも可能である。なお、本実施の形態では、リードインエリアに、上記推奨値がさらに記録されているものとする。【０１９１】
信号処理部１３２は、ヘッドアンプ１１１より送られる媒体識別情報を含む信号を処理し、媒体識別部１３３に与える。媒体識別部１３３は、信号処理部１３２により与えられた上記信号に基づいて、光情報記録媒体２００の識別を行う。【０１９２】
再生条件調整部１３４は、媒体識別部１３３による光情報記録媒体２００の識別結果に基づいて、再生設定値を調整する。本実施の形態の場合、再生条件調整部１３４は、再生パワー値を調整する旨の信号をレーザ制御回路１１０Ａに送出する再生パワー値調整部１３４Ａと、サーボオフセット値を調整する旨の信号をサーボ処理回路１１３に送出するサーボオフセット値調整部１３４Ｂと、球面収差補正値を調整する旨の信号をビームエキスパンダ制御回路１１５に送出する球面収差補正値調整部１３４Ｃと、チルトを調整する旨の信号を光学ヘッドチルト制御回路１１６に送出するチルト調整部１３４Ｄと、を備える。【０１９３】
次に、再生装置１００の処理動作を、図８を用いて説明する。図８は、再生装置１００の処理動作の流れを示している。【０１９４】
再生装置１００に、光情報記録媒体２００が配備されると、制御部１０９のアクセス位置制御部１３１によって、光ピックアップ用モータ１１４が制御され、半導体レーザ１０１からの再生レーザ光が、再生初期用として予め定められていた通常媒体用の再生設定値で、光情報記録媒体２００の再生初期のアクセス位置であるリードインエリアに照射される（Ｓ１）。【０１９５】
そして、リードインエリアに記録されている、上記媒体識別情報の信号が再生される（Ｓ２）。【０１９６】
上記媒体識別情報の信号は、光検出器１０６、ヘッドアンプ１１１を介して、制御部１０９の信号処理部１３２によって処理され、媒体識別部１３３で、光情報記録媒体２００の識別が行われる（Ｓ３）。【０１９７】
媒体識別部１３３による識別結果が、通常媒体であった場合（Ｓ３においてＮＯ）、再生装置１００は、上記通常媒体用の再生条件値により、通常媒体の情報信号領域にアクセスする（Ｓ６）。そして、情報信号領域に記録されたコンテンツが、光検出器１０６、ヘッドアンプ１１１、ＲＦアンプ１１２Ａ、およびＲＦ信号処理回路１１２Ｂを介して再生される（Ｓ７）。【０１９８】
一方、媒体識別部１３３による識別結果が、超解像媒体１であった場合（Ｓ３においてＹＥＳ）、制御部１０９のアクセス位置制御部１３１によって、光ピックアップ用モータ１１４が制御され、半導体レーザ１０１からの再生レーザ光が、リードインエリアに記録されている上記再生設定値の最適値の推奨値に設定される。【０１９９】
但し、上記推奨値の設定方法は、上記の方法に限られるわけではない。即ち、例えばリードインエリアに上記推奨値が記録されていない場合においては、スピンドルモータ１０７により光情報記録媒体２００を回転させる前において、再生設定値（特に再生パワー値）の情報を認識する手段を用いることで、光情報記録媒体２００の再生開始前に当該再生設定値を設定しても良い。この方法としては、光情報記録媒体２００の一部、或いは光情報記録媒体２００を保護するカートリッジの一部に切り欠きを形成し、それを再生装置１００が機械的に認識することで、当該再生設定値を設定する方法等が挙げられる。【０２００】
再生設定値を上記推奨値に設定された半導体レーザ１０１からの再生レーザ光は、光情報記録媒体２００、即ち超解像媒体１のテストリード領域１２に照射される（Ｓ４）。そして、再生装置１００は、超解像媒体１のテストリード領域１２のプリピット３２を読み取る。プリピット３２を読み取った再生信号は、光検出器１０６、ヘッドアンプ１１１、および信号処理部１３２を介して制御部１０９の再生条件調整部１３４に送られる。【０２０１】
再生条件調整部１３４では、上記再生信号に基づいて、再生設定値を超解像媒体１にとって最適となる値に調整する（Ｓ５）。具体的には、再生パワー値調整部１３４Ａは、上記再生信号に基づいてレーザ制御回路１１０Ａを制御して半導体レーザ１０１のレーザ光強度を制御することで、再生パワー値を、超解像媒体１にとって最適となる値に調整する。サーボオフセット値調整部１３４Ｂは、上記再生信号に基づいてサーボ処理回路１１３を制御してアクチュエータ１１７を制御することで、サーボオフセット値を、超解像媒体１にとって最適となる値に調整する。球面収差補正値調整部１３４Ｃは、上記再生信号に基づいてビームエキスパンダ制御回路１１５を制御してビームエキスパンダ１１８を制御することで、球面収差補正値を、超解像媒体１にとって最適となる値に調整する。チルト調整部１３４Ｄは、上記再生信号に基づいて光学ヘッドチルト制御回路１１６を制御してチルト調整機構１１９を制御することで、チルトを、超解像媒体１にとって最適となる値に調整する。【０２０２】
なお、テストリード領域１２にて超解像媒体１にとって最適となる再生設定値を求める方法としては例えば、エラーレートが最良となるように再生設定値を変化させて求める方法、または、各マーク長における再生信号の振幅が全て、あらかじめ決められた閾値を超えるように再生設定値を変化させて求める方法等が挙げられる。【０２０３】
そしてその後、再生装置１００は、超解像媒体１にとって最適となる再生設定値となる再生レーザ光により、情報信号領域１１にアクセスする（Ｓ６）。そして、情報信号領域１１のコンテンツが、光検出器１０６、ヘッドアンプ１１１、ＲＦアンプ１１２Ａ、およびＲＦ信号処理回路１１２Ｂを介して再生される（Ｓ７）。【０２０４】
なお、媒体識別部１３３による識別結果が、通常媒体であった場合であって、当該通常媒体に、あらかじめ再生設定値の最適値の推奨値が記録されている場合、再生装置１００は、再生条件調整部１３４により再生設定値を当該推奨値に調整してから、通常媒体の情報信号領域にアクセスしてもよい。【０２０５】
これによって、設置時および可動時の機械的ずれ、再生装置毎の特性のばらつき、超解像媒体毎の特性のばらつき等に起因して、その値が一定値とはならない再生設定値、特に再生パワー値の最適値を、光情報記録媒体１枚毎に、テストリード領域１２にて求めてから、コンテンツが記録された情報信号領域１１を再生することができる。【０２０６】
そのため、エラーレートが良好であり、デフォーカスマージン等のマージンが幅広な光情報記録媒体の提供が可能となる。【０２０７】
なお、情報信号領域１１を再生中に、超解像媒体１の機械的ずれ等により超解像媒体の特性（エラーレート等）が変化した場合は、テストリード領域１２にて再度、再生パワー値等の最適値を求めてから、情報信号領域１１を再生してもよい。【０２０８】
これにより、機械的ずれ等によって再生中に悪化した超解像媒体の特性を再度良好にし、デフォーカスマージン等のマージンを再度増大させることができる。【０２０９】
また、本発明に係る光情報記録媒体再生装置の構成は、本実施の形態に係る構成に限るものではない。即ち、本発明に係る光情報記録媒体再生装置は、超解像媒体１を再生する際に、テストリード領域１２にて再生設定値の最適値を求めた後に、情報信号領域１１を再生することを特徴とする光情報記録媒体再生装置であればよい。【０２１０】
さらに、光情報記録媒体再生装置には、再生または記録専用の装置の他、再生および記録の両方が可能な装置が含まれ、その使用形態において据え置き用、携帯用の如何を問うものではない。【０２１１】
最後に、再生装置１００の制御部１０９の各ブロックは、ハードウェアロジックによって構成してもよいし、次のようにＣＰＵを用いてソフトウェアによって実現してもよい。【０２１２】
即ち、再生装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである再生装置１００の制御部１０９の制御プログラムのプログラムコード（実行形式プログラム、中間コードプログラム、ソースプログラム）をコンピュータで読み取り可能に記録した記録媒体を、再生装置１００に供給し、そのコンピュータ（または、ＣＰＵまたはＭＰＵ）が記録媒体に記録されているプログラムコードを読み出し実行することによっても、達成可能である。【０２１３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０２１４】
また、再生装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０２１５】
また、光情報記録媒体としては、ＣＤ−ＲＯＭ(Compact Disk Read Only Memory)、ＣＤ−Ｒ、ＣＤ−ＲＷ、ＤＶＤ−ＲＯＭ(Digital Versatile Disk Read Only Memory)、ＤＶＤ−ＲＷ(Digital Versatile Disk Rewritable)、ＢＤ、ＢＤ‐ＲＯＭ等の光学読取式のディスクや、光磁気ディスク、相変化型ディスク等、種々の光ディスクを挙げることができ、本発明において記録の方式や大きさを問うものではない。【０２１６】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１７】
本発明の光情報記録媒体は、例えば、超解像再生により情報の処理を行う光情報記録媒体に好適に利用することができる。
【図１】
2009008434.tif 000003
【図２】
2009008434.tif 000004
【図３】
2009008434.tif 000005
【図４】
2009008434.tif 000006
【図５】
2009008434.tif 000007
【図６】
2009008434.tif 000008
【図７】
2009008434.tif 000009
【図８】
2009008434.tif 000010
【国際調査報告】
2009008434.tif 000011
2009008434.tif 000012
2009008434.tif 000013
2009008434.tif 000014